(57)【要約】【課題】  クランプオン（clamp-on)ハンドル組立体を有する掃除道具に関する。【解決手段】  このハンドル組立体は、ハンドル組立体を掃除道具のハンドル部の上方に配置できる開位置から、ハンドル組立体を掃除道具のハンドル部に確実にクランプする係止位置へ、移動させる摺動可能な係止要素を含む。有利には、ハンドル組立体を掃除道具のハンドル部に固定するために、外部道具または締結具を必要としない。ハンドル組立体は、ユーザが掃除道具のハンドル部上へ直接保持することによって、到達することが困難な高所領域または他の領域にユーザが掃除道具を使用して到達することができるようにする。【選択図】      図２
2005013747.tif 000002
【特許請求の範囲】
【請求項１】
使用時に道具を操縦するために使用者の手による把持が可能な把持可能部を有する道具ハウジング、および
前記道具の把持可能部の少なくとも一部上に設置できるクランプオン（clamp-on)延長ハンドル組立体を含み、
前記クランプオン延長ハンドル組立体は、
第一部、および前記第一部に対して移動自在の第二部を有する主本体部、ならびに
第一部および第二部の少なくとも一方に作動可能に連結された手による移動が可能な係止要素を含み、
前記係止要素は、係止位置に付くときに前記把持可能部上にクランプされた第一および第二部の保持を可能にし、かつ係止解除位置へ移動するときに前記把持可能部からの前記主本体部の除去を可能にする、手で保持できる道具。
【請求項２】
前記係止要素は摺動自在の可動係止要素を含む、請求項１に記載の道具。
【請求項３】
前記主本体部の第一部および第二部は一体ヒンジにより共に連結されている、請求項１に記載の道具。
【請求項４】
前記主本体部の第一部および第二部はそれぞれフランジを含み、かつ
前記係止要素が係止位置へ移動するときに、前記フランジは前記係止要素と共働して前記係止要素が前記把持可能部上にクランプされた第一部および第二部を保持するようにする、請求項１に記載の道具。
【請求項５】
前記係止要素は前記フランジの一つの上に摺動自在に設置されている、請求項４に記載の道具。
【請求項６】
前記フランジは前記第一部および前記第二部の終縁間のスリットに隣接して形成されている、請求項４に記載の道具。
【請求項７】
前記フランジの少なくとも一つは前記係止要素の移動を制限するためにその一端に形成されたストップを含む、請求項５に記載の道具。
【請求項８】
前記クランプオン延長ハンドル組立体は、
前記主本体部から突出した首部、および
前記首部に連結されたハンドル部材を含む、請求項１に記載の道具。
【請求項９】
前記主本体部は前記第一部および第二部の一方上に形成された溝を含み、かつ
前記把持可能部は、クランプオン延長ハンドル組立体が前記把持可能部にクランプされるときに前記把持可能部に対する回転運動に対して前記主本体部を固定維持するために前記溝と係合するために上設されたリブを含む、請求項１に記載の道具。
【請求項１０】
手で保持できる道具であって、
使用時に前記道具を操縦するために使用者の手による把持が可能な把持可能部を有する道具ハウジング、および
前記道具の把持可能部の少なくとも一部の上に設置できるクランプオン延長ハンドル組立体を含み、
前記ハンドル組立体は、
第一部、および前記第一部に対して移動自在の第二部を有する主本体部、ならびに
前記第一部および第二部の一方によって担持され、かつ前記第一部および第二部の縁が前記道具の前記把持可能部の周りに当接係合するように引き込まれて前記主本体部を前記把持可能部にクランプする係止位置と、前記主本体部を前記把持可能部から取り外す程度に十分に前記第一部および第二部の前記縁が分離可能である係止解除位置との間で摺動自在に移動可能な係止要素を含む、手で保持できる道具。
【請求項１１】
前記第一部および第二部の各々は、前記縁に隣接して配置されたフランジを含み、かつ
前記係止要素は、前記係止位置に移動して前記縁を当接関係に保持するときに前記フランジに係合する、請求項１０に記載の道具。
【請求項１２】
前記フランジの少なくとも一つは、前記係止要素は前記係止位置に移動するときに前記係止要素の摺動運動を停止するために形成されたストップ部を含む、請求項１１に記載の道具。
【請求項１３】
前記フランジの一つは突出部を含み、かつ
前記係止要素は切欠きを有する出っ張りを含み、前記切欠きは、前記係止要素を係止位置に保持するために前記係止要素が係止位置に移動するときに前記突出部に係合する、請求項１１に記載の道具。
【請求項１４】
前記フランジの一つは突出部を含み、かつ
前記係止要素は切欠きを有する出っ張りを含み、前記切欠きは、前記係止要素を係止解除位置に保持するために前記係止要素が係止解除位置に移動するときに前記突出部に係合する、請求項１１に記載の道具。
【請求項１５】
前記フランジの一つは突出部を含み、かつ
前記係止要素は一対の離間した切欠きを有する部分を含み、前記係止要素が係止位置に移動して前記係止要素を係止位置に保持するときに、前記切欠きの一方は前記突出部に係合し、かつ
前記係止要素が係止解除位置に移動して前記係止要素を係止解除位置に保持するときに、前記突出部は前記切欠きの他方に係合する、請求項１１に記載の道具。
【請求項１６】
前記掃除道具が使用されないときに前記掃除道具を支持するために壁に固定できるようち構成されたホルダをさらに含む、請求項１１に記載の道具。
【請求項１７】
手で保持できる掃除道具であって、
掃除道具主ハウジング、および
前記掃除道具主ハウジングに着脱自在に連結されるように構成された補助クランプオンハンドル組立体を含み、
前記補助クランプオンハンドル組立体は、
前記掃除道具主ハウジングの上方に位置決めできるように相互に蝶番式に連結された第一部および第二部を有する主本体部と、
前記掃除道具主ハウジングの上方にクランプした係合状態で前記第一部および第二部を係止するために、前記第一部および第二部の一つに連結される手で移動できる係止要素と、
前記掃除道具用の延長ハンドルを形成するために前記主本体部から延びた細長いハンドル部材とを含む、掃除道具。
【請求項１８】
前記主本体部はプラスチックから形成され、かつ前記第一部および第二部を連結する一体ヒンジを含む、請求項１７に記載の掃除道具。
【請求項１９】
前記第一部および第二部の各々は、その縁に隣接して形成されたフランジを含み、かつ
前記係止要素は前記フランジと共働して、前記掃除道具主ハウジングにクランプされた前記補助クランプオンハンドル組立体の前記主本体部を保持する、請求項１７に記載の掃除道具。
【請求項２０】
前記主本体部は、前記細長いハンドル部材に連結された首部を含む、請求項１７に記載の掃除道具。
【請求項２１】
手で保持できる道具であって、
道具主ハウジング、および
前記道具主ハウジングに着脱自在に連結されるように構成された補助クランプオンハンドル組立体を含み、
補助クランプオンハンドル組立体は、
前記道具主ハウジングの上方に位置決めできるように相互に蝶番式に連結された第一部および第二部を有する本体部と、
前記道具主ハウジングの上方でクランプした係合状態で前記第一部および第二部を係止するために、前記第一部および第二部の一つに連結された手で移動できる係止要素と、
前記道具用の延長ハンドルを形成するために前記主本体部から延びた細長いハンドル部材とを含む、道具。
【請求項２２】
前記主本体部はプラスチックから形成され、かつ前記第一部および第二部を連結する一体ヒンジを含む、請求項２１に記載の掃除道具。
【請求項２３】
前記第一部および第二部の各々は、その縁に隣接して形成されたフランジを含み、かつ
前記係止要素が前記フランジと共働して、前記道具主ハウジングにクランプされた前記補助クランプオンハンドル組立体の前記主本体部を保持する、請求項１７に記載の道具。
【請求項２４】
掃除道具を形成するための方法であって、
補助ハンドルの主本体部の第一部および第二部を前記掃除道具の掃除道具ハウジングの周りに固定し、かつ
手で移動できる係止要素を使用して、前記主本体部の前記第一部および第二部を前記掃除道具ハウジングの周りにクランプし、かつ
前記主本体部に作動可能に連結された細長いハンドルを使用して、前記掃除道具を使用するときに使用者の到達距離を効果的に増長することを含む掃除道具形成方法。
【請求項２５】
一体ヒンジ構造によって前記主本体部の前記第一部および第二部を連結することをさらに含む、請求項２４に記載の方法。
【請求項２６】
フランジを有する前記第一部および第二部の各々を形成し、かつ
前記係止要素を使用して前記フランジに係合し、前記掃除道具ハウジングの周りに前記第一部および第二部をクランプすることをさらに含む、請求項２４に記載の方法。
【発明の詳細な説明】
【技術分野】
【０００１】
本発明は、掃除道具、より詳しくは、掃除道具でアクセス（接近）困難な領域へのユーザ（使用者）による到達を可能にするための取り外し可能なクランプオン（clamp-on)ハンドル組立体を有する手で保持できる掃除道具に関する。
【背景技術】
【０００２】
手で保持できる掃除道具は、多種多様な清掃業務のために非常に効果的かつ有用な清掃用具であることが証明されている。特に、本出願の譲受人によって製造されたＳｃｕｍＢｕｓｔｅｒ（登録商標）の手で保持可能な掃除道具のようなモータ付きの掃除道具は、多種多様な清掃用途において、特に家庭の台所および浴室領域のような個人の家庭用途に非常に普及しかつ効果的であることが示されている。このようなモータ付きの掃除道具は、モータによって駆動されるブラシ等の清掃用具の補助により、流し、浴槽、シャワ室のような領域、および多種多様な他の表面をユーザがより入念に洗い落とすことを可能にする。
【発明の開示】
【発明が解決しようとする課題】
【０００３】
上述のようなこのようなハンドヘルド掃除道具では、不可能でないとしても、掃除道具それ自体の本体（すなわち、ハウジング）を保持しつつ、ユーザが到達することが困難と思われる高所領域またはアクセスが難しい領域を清掃することがしばしば必要である。したがって、高所領域またはアクセスが難しい領域を清掃するためにユーザがより容易に使用し得るように、ユーザが把持し得る形態の細長いハンドルを提供することが望ましいであろう。さらに、必要としないときには、このようなハンドルを掃除道具から迅速かつ容易に取り外しできるならば、著しく望ましいであろう。このような取り外し可能なハンドルは、様々な清掃用途においてかかる掃除道具を使用するときには、ユーザに相当の付加的融通性を提供するであろう。
【０００４】
取り外し可能なクランプオンハンドルが掃除道具それ自体のハウジングに固定される前に、当該ハウジングの修正を必要とせず、また掃除道具の全体重量をそれほど付加することなく、あるいは掃除道具の全体コストを相当増加する必要のない上述のような掃除道具を提供し得るならば、著しく望ましいであろう。
【課題を解決するための手段】
【０００５】
上記課題を解決するための本発明による手で保持できる道具は、使用時に道具を操縦するために使用者の手による把持が可能な把持可能部を有する道具ハウジング、および前記道具の把持可能部の少なくとも一部上に設置できるクランプオン（clamp-on)延長ハンドル組立体を含み、前記クランプオン延長ハンドル組立体は、第一部、および前記第一部に対して移動自在の第二部を有する主本体部、ならびに第一部および第二部の少なくとも一方に作動可能に連結された手による移動が可能な係止要素を含み、前記係止要素は、係止位置に付くときに前記把持可能部上にクランプされた第一および第二部の保持を可能にし、かつ係止解除位置へ移動するときに前記把持可能部からの前記主本体部の除去を可能にすることを特徴とする。
【０００６】
好適形態において、前記係止要素は摺動自在の可動係止要素を含む。
【０００７】
好適形態において、前記主本体部の第一部および第二部は一体ヒンジにより共に連結されている。
【０００８】
好適形態において、前記主本体部の第一部および第二部はそれぞれフランジを含み、かつ前記係止要素が係止位置へ移動するときに、前記フランジは前記係止要素と共働して前記係止要素が前記把持可能部上にクランプされた第一部および第二部を保持するように構成されている。
【０００９】
好適形態において、前記係止要素は前記フランジの一つの上に摺動自在に設置されている。
【００１０】
好適形態において、前記フランジは前記第一部および前記第二部の終縁間のスリットに隣接して形成されている。
【００１１】
好適形態において、前記フランジの少なくとも一つは前記係止要素の移動を制限するためにその一端に形成されたストップを含む。
【００１２】
好適形態において、前記クランプオン延長ハンドル組立体は、前記主本体部から突出した首部、および前記首部に連結されたハンドル部材を含む。
【００１３】
前記主本体部は前記第一部および第二部の一方上に形成された溝を含み、かつ前記把持可能部は、クランプオン延長ハンドル組立体が前記把持可能部にクランプされるときに前記把持可能部に対する回転運動に対して前記主本体部を固定維持するために前記溝と係合するために上設されたリブを含む。
【００１４】
本発明による第二形態の手で保持できる道具は、使用時に前記道具を操縦するために使用者の手による把持が可能な把持可能部を有する道具ハウジング、および前記道具の把持可能部の少なくとも一部の上に設置できるクランプオン延長ハンドル組立体を含み、前記ハンドル組立体は、第一部、および前記第一部に対して移動自在の第二部を有する主本体部、ならびに前記第一部および第二部の一方によって担持され、かつ前記第一部および第二部の縁が前記道具の前記把持可能部の周りに当接係合するように引き込まれて前記主本体部を前記把持可能部にクランプする係止位置と、前記主本体部を前記把持可能部から取り外す程度に十分に前記第一部および第二部の前記縁が分離可能である係止解除位置との間で摺動自在に移動可能な係止要素を含むことを特徴とする。
【００１５】
好適形態において、前記第一部および第二部の各々は、前記縁に隣接して配置されたフランジを含み、かつ前記係止要素は、前記係止位置に移動して前記縁を当接関係に保持するときに前記フランジに係合する。
【００１６】
好適形態において、前記フランジの少なくとも一つは、前記係止要素は前記係止位置に移動するときに前記係止要素の摺動運動を停止するために形成されたストップ部を含む。
【００１７】
好適形態において、前記フランジの一つは突出部を含み、かつ前記係止要素は切欠きを有する出っ張りを含み、前記切欠きは、前記係止要素を係止位置に保持するために前記係止要素が係止位置に移動するときに前記突出部に係合する構成である。
【００１８】
好適形態において、前記フランジの一つは突出部を含み、かつ前記係止要素は切欠きを有する出っ張りを含み、前記切欠きは、前記係止要素を係止解除位置に保持するために前記係止要素が係止解除位置に移動するときに前記突出部に係合する構成である。
【００１９】
前記フランジの一つは突出部を含み、かつ前記係止要素は一対の離間した切欠きを有する部分を含み、前記係止要素が係止位置に移動して前記係止要素を係止位置に保持するときに、前記切欠きの一方は前記突出部に係合し、かつ前記係止要素が係止解除位置に移動して前記係止要素を係止解除位置に保持するときに、前記突出部は前記切欠きの他方に係合する構成である。
【００２０】
好適形態において、前記掃除道具が使用されないときに前記掃除道具を支持するために壁に固定できるようち構成されたホルダをさらに含む。
【００２１】
本発明による更に他の形態の手で保持できる掃除道具は、掃除道具主ハウジング、および前記掃除道具主ハウジングに着脱自在に連結されるように構成された補助クランプオンハンドル組立体を含み、前記補助クランプオンハンドル組立体は、前記掃除道具主ハウジングの上方に位置決めできるように相互に蝶番式に連結された第一部および第二部を有する主本体部と、前記掃除道具主ハウジングの上方にクランプした係合状態で前記第一部および第二部を係止するために、前記第一部および第二部の一つに連結される手で移動できる係止要素と、前記掃除道具用の延長ハンドルを形成するために前記主本体部から延びた細長いハンドル部材とを含むことを特徴とする。
【００２２】
好適形態において、前記主本体部はプラスチックから形成され、かつ前記第一部および第二部を連結する一体ヒンジを含む。
【００２３】
好適形態において、前記第一部および第二部の各々は、その縁に隣接して形成されたフランジを含み、かつ前記係止要素は前記フランジと共働して、前記掃除道具主ハウジングにクランプされた前記補助クランプオンハンドル組立体の前記主本体部を保持する。
【００２４】
好適形態において、前記主本体部は、前記細長いハンドル部材に連結された首部を含む。
【００２５】
本発明による更に他の形態の手で保持できる道具は、道具主ハウジング、および前記道具主ハウジングに着脱自在に連結されるように構成された補助クランプオンハンドル組立体を含み、補助クランプオンハンドル組立体は、前記道具主ハウジングの上方に位置決めできるように相互に蝶番式に連結された第一部および第二部を有する本体部と、前記道具主ハウジングの上方でクランプした係合状態で前記第一部および第二部を係止するために、前記第一部および第二部の一つに連結された手で移動できる係止要素と、前記道具用の延長ハンドルを形成するために前記主本体部から延びた細長いハンドル部材とを含むことを特徴とする。
【００２６】
好適形態において、前記主本体部はプラスチックから形成され、かつ前記第一部および第二部を連結する一体ヒンジを含む。
【００２７】
好適形態において、前記第一部および第二部の各々は、その縁に隣接して形成されたフランジを含み、かつ前記係止要素が前記フランジと共働して、前記道具主ハウジングにクランプされた前記補助クランプオンハンドル組立体の前記主本体部を保持する。
【００２８】
本発明は更に掃除道具を形成するための方法を提供する。本発明による掃除道具を形成するための方法は、補助ハンドルの主本体部の第一部および第二部を前記掃除道具の掃除道具ハウジングの周りに固定し、かつ手で移動できる係止要素を使用して、前記主本体部の前記第一部および第二部を前記掃除道具ハウジングの周りにクランプし、かつ前記主本体部に作動可能に連結された細長いハンドルを使用して、前記掃除道具を使用するときに使用者の到達距離を効果的に増長することを含む。
【００２９】
前記方法の好適形態において、一体ヒンジ構造によって前記主本体部の前記第一部および第二部を連結することをさらに含む。
【００３０】
前記方法の好適形態において、フランジを有する前記第一部および第二部の各々を形成し、かつ前記係止要素を使用して前記フランジに係合し、前記掃除道具ハウジングの周りに前記第一部および第二部をクランプすることをさらに含む。
【００３１】
本発明を要約すれば、一好適形態において、掃除道具は、適切な減速ギヤシステムを通して清掃用具のようなブラシ等を駆動するモータを内部に配備する。取り外し可能なハンドルは、一好適形態において、掃除道具の主ハウジングのハンドル部にクランプすることができる本体部を備える。本体部は、本体部が掃除道具の主ハウジングに固定されるとユーザが容易に把持できる細長いハンドル部材を受けるための構造を含む。それにより、ユーザは、掃除道具を使用して、高所領域またはアクセスが難しい領域により容易に到達することができる。好適形態では、細長いハンドルは、両手で快適に把持することを可能にする程度に十分な長さを有し、かくしてユーザが掃除道具を容易に操作することを可能にする。
【００３２】
好適形態では、本体部は、摺動可能に配置される係止要素を含む。係止要素は、本体部のハウジングの反対側に形成された一対のフランジの上方に配置される。係止要素は、掃除道具のハンドル部の上方で本体部を容易に滑らすことができる係止解除位置から、本体部が掃除道具のハンドル部の上方でクランプ（締着）されるようにフランジが相互に向かって引かれる係止部分に摺動することができる。かくして、本体部は、掃除道具のハンドルに迅速かつ容易に装着できるか、あるいは係止要素の単一の摺動運動により掃除道具から取り外すことができる。本体部のハウジングと係止要素との間の共働構造は、係止要素がユーザによってこの位置に移動されると、係止要素を係止位置に維持するのを補助するように、かつ本体部からの係止要素の完全な取り外しを防止するように機能する。
【００３３】
本発明のさらなる適用範囲は、以下に提供する詳細な説明から明らかになるであろう。詳細な説明および特定の実施例は、本発明の好ましい実施形態を示しているが、説明目的のみのために意図されるに過ぎず、本発明の範囲を限定するようには意図されないことを理解すべきである。
本発明は、詳細な説明および添付図からより完全に理解されるであろう。
【発明を実施するための最良の形態】
【００３４】
一つまたは複数の好ましい実施形態の次の説明は、本質的に単に例示なものに過ぎず、本発明、その適用、あるいは用途を制限するようには意図されない。
【００３５】
図１と図２を参照すると、本発明の好ましい実施形態による掃除道具１０が示されている。掃除道具１０はクランプオンハンドル組立体を含む。掃除道具１０を使用して、高所領域または到達困難な領域にアクセスすることができる。掃除道具には主ハウジング１４を含み、主ハウジング内に電動モータ１６が配置される。電動モータ１６は、掃除用たわし等のような清掃用具２０を回転駆動する減速ギヤユニット１８に連結される。電動モータ１６は、ハウジング１４のハンドル部２４内に保持された再充電可能電池パック２２によって電力供給される。オン／オフスイッチ２６は、モータ１６に電力を印加し、かくして掃除道具１０をオンオフするために使用される。
【００３６】
特に図２を参照すると、クランプオンハンドル組立体１２は、細長いハンドル部材３１を連結することができる首部３０を有する本体部２８を含む。ハンドル部材３１は、例えば、ハンドル部材のネジ山部と螺合するためのネジ山を有する首部３０のねじ付き端部および内孔３０ａをハンドル部材に設けることによって、接着剤または機械的手段を介して首部３０に固定することができる。代わりに、圧入によってまたは差し込み取り付けによって固定してもよい。
【００３７】
クランプオンハンドル組立体１２の本体部２８は、摺動可能に配置される係止要素３２をさらに含む。係止要素３２は、その「係止された」位置が図２に示され、その「係止されていない」位置は図２に仮想で示され、また斜視図が図８に示されている。係止位置において、ハンドル組立体１２は、掃除道具１０の主ハウジング１４のハンドル部２４の上方に確実にクランプされる。係止解除位置にあるとき、ハンドル組立体１２は、以下にさらに説明するようにハンドル部２４から持ち上げることができる。
【００３８】
図３〜図６は、まさにハンドル組立体１２の本体部２８をさらに示している。本体部２８は、一体ヒンジ３８によって連結された第一部３４および第二部３６を含むことを理解することができる。第一部３４はフランジ４０をさらに含み、他方、第二部３６は同様にフランジ４２を含む。フランジ４０と４２は、第一部３４と第二部３６の自由縁４４と４６に沿ってそれぞれ配置される。
【００３９】
特に図６を簡単に参照すると、第一部３４は、小さな突出部５０を有する延長部４８を含むことを理解することができる。本体部２８は、好ましくは高強度プラスチックのような適当に強力な材料からの単一成形構成部として、首部３０と一体的に形成される。一体ヒンジ３８は、図４と図５に示した閉位置と開位置間での第一部３４および第二部３６の移動を容易にする。
【００４０】
図４と図５を特に参照すると、主ハウジング部２８は、長手方向に延在する溝またはチャネル５４を有する孔５２をさらに形成する。チャンネル５４は、長手方向に延在するリブ５５（図１と図２）を受けるように構成され、このリブは、掃除道具１０のハンドル部２４に固定されるときに本体部２８を所望の方向に維持するのを補助する。同様に理解されるように、孔５２は、本体部２８がハンドル部２４にクランプされるときに、孔５２がハンドル部２４に遊びなしに嵌合できるように寸法決めされる。
【００４１】
さらに図７を参照すると、突出部５０をさらに詳細に見ることができる。突出部５０は、フランジ４２の僅か下方に位置するように形成される。突出部５０は、簡単に説明すれば、その係止位置およびその係止解除位置の両方における係止要素３２の保持を助ける。
【００４２】
図８を参照すると、より詳細に係止要素３２を見ることができる。係止要素３２は、内方に曲げた一対の出っ張り５６と５８を含む。出っ張り５６は第一切欠き６０および第二切欠き６２を有する。第一切欠き６０は、係止要素３２がその係止解除位置（図５）にあるとき、ハンドル組立体１２の本体部２８に固定された係止要素３２の維持を助ける。逆に、切欠き６２は、図１に示したような係止位置に係止要素３２を保持する。
【００４３】
図９と図１０を参照すると、係止位置（図９）および係止解除位置（図１０）の係止要素３２を見ることができる。その係止位置において、切欠き６２は突出部５０を受ける。図１０の係止解除位置では、切欠き６０は突出部５０を受ける。クランプ組立体１２を道具１０のハンドル部２４の上に配置するために、ユーザは、図２に仮想で示された位置に係止要素３２を開き、図５に示したような主ハウジング２８の第二部３６を開き、また主ハウジング２８がハンドル部２４の長軸と整列するように、主ハウジング２８をハンドル部２４の上方に置く。次に、ユーザは、図４に示したように、フランジ４０と４２が相互に近くに隣接するか、あるいはほとんど当接関係になるまで、第一部３４および第二部３６を相互に向かって移動させる。次に、ユーザは、フランジ４０と４２の上方で前方に、図１と図３に示した位置へ係止要素３２を摺動する。図１、図３、図６、図９および図１０に示したストップ４０ａと４２ａは、第二切欠き６２が突出部５０にちょうど係合するとき、係止要素３２の前方移動を停止する。この位置において、ハンドル組立体１２は掃除道具のハンドル部２４に確実にクランプされ、掃除道具１０は、ユーザが他方または両方の手を用いて細長いハンドル部材３１を把持し操縦することにより、容易に操作され得る。
【００４４】
ハンドル組立体１２を取り外す手順は本質的に逆に行われる。ユーザは、図２に仮想で示した位置に係止要素３２を簡単に摺動する。係止要素３２は、突出部５０が切欠き６２から付勢されて出されるときに、その長手方向移動を始めるために最初に僅かにより大きな力を要する。これが生じた後、突出部５０が付勢されて切欠き６０と係合するまで、係止要素３２をより容易に移動させることができるが、この達成には、僅かな程度の追加力を再び要する。図１０に示したように、突出部５０が切欠き６０と係合すると、係止要素は、大きな追加の力なしでは係止解除方向において更に長手方向へはもはや移動できない。かくして、突出部５０と切欠き６０との相互係合は、本体部２８からの係止要素３２の意図しない取り外しを防止する。延長部４８は、係止要素が図１０に示したその係止解除位置にあるとき、係止要素３２の支持を補助する表面を形成する。
【００４５】
かくして、クランプオンハンドル組立体１２は、補助的延長ハンドルを掃除道具のハンドル部に固定することを可能にするための便利で使いやすい手段を形成する。本発明のハンドル組立体１２は、組み合わせたハンドル組立体／掃除道具組合体の全体重量にそれほど追加されず、組み合わせた組立体の全体コストにそれほど追加されず、また図１と図２に示した掃除道具１０のハンドル部２４を直接保持しつつアクセスが困難であろう高所領域または他の領域にユーザが到達することを可能にする。さらに、ハンドル組立体は道具１０のオン／オフスイッチ２６へのアクセスに干渉しないので、ハンドル組立体１２の使用には、道具１０用の補助オン／オフスイッチの使用は必要でなく、ユーザは、なお好都合にオン／オフスイッチ２６にアクセスできる。
【００４６】
次に図１１を参照すると、本発明のクランプオンハンドル組立体の他の好ましい実施形態１００が示されている。本実施形態は、組立体１００の本体部１０２が、掃除道具１４の上ハンドル部２４のみならず、ユーザの手の指が延びる開口部を形成する掃除道具の下ハンドル保護部材１５の周りにクランプされることを除いて、クランプオンハンドル組立体１２と同様である。
【００４７】
図１２を参照すると、クランプオンハンドル組立体のさらに他の好ましい実施形態２００が示されている。本実施形態は、本体部２０２が、掃除道具１４の上ハンドル部全体および下ハンドル保護部材１５にわたってクランプすることを除いて、ハンドル組立体１００と同様である。
【００４８】
次に図１３を参照すると、ハンガ３００に掛かっている掃除道具１４を見ることができる。ハンガ３００はプラスチックから形成されることが好ましく、フック３０４および首部３０６を有する基部３０２を含む。首部３０６は、掃除道具１４の取り外し可能な端キャップ１７を支持するために使用することができる。基部３０２は、任意適切な締結要素、例えば、フック３０４および基部３０２を通過するネジ付き締結具によって壁または他の同様の表面に固定することができる。
【００４９】
本発明の説明は、本質的に例示に過ぎず、したがって、本発明の主旨から逸脱しない別形態が本発明の範囲内に含まれることを意図している。そのような変形は、本発明の精神と範囲からの逸脱とは見なされない。
【図面の簡単な説明】
【００５０】
【図１】本発明の好ましい実施形態による取り外し可能な細長いハンドル組立体を合体させた手で保持できる掃除道具の斜視図であって、ハンドル組立体は掃除道具のハンドル部にクランプされている。
【図２】図１の装置の側面図であるが、開位置のクランプオンハンドル組立体は掃除道具から取り外される態勢にある。
【図３】図１のハンドル組立体の本体部の斜視図である。
【図４】図３のハンドル組立体の本体部の端面図であり、ハンドル組立体は係止位置にある。
【図５】図４のハンドル組立体の端面図であるが、その本体部は開位置にある。
【図６】図４のハンドル組立体のまさに本体部の側面図である（すなわち、分かりやすくするためその係止要素は取り外されている）。
【図７】僅かに開放した位置のハンドル組立体の本体部の側面図であり、係止要素をその開位置および閉位置に保持するためのハンド組立体に関連する構造を示している。
【図８】図１と図２に示したハンドル組立体の係止要素の斜視図である。
【図９】図４の断面線９−９に従って見た係止位置の係止要素の部分断面図である。
【図１０】図９の係止要素の断面図であるが、係止要素はその係止解除位置に移動されている。
【図１１】本発明のクランプオンハンドル組立体の他の好ましい実施形態の斜視図である。
【図１２】本発明のクランプオンハンドル組立体の他の好ましい実施形態の斜視図である。
【図１３】ハンガにかかっている図１の掃除道具の斜視図である。
【符号の説明】
【００５１】
１０    掃除道具
１２    ハンドル組立体
１４    ハウジング
２０    清掃用具
２４    ハンドル部
２８    本体部
３２    係止要素
３４    第一部
３６    第二部
４０ａ    ストップ
５０    突出部
５６，５８    出っ張り
６０，６２    切欠き
【図１】
2005013747.tif 000003
【図２】
2005013747.tif 000004
【図３】
2005013747.tif 000005
【図４】
2005013747.tif 000006
【図５】
2005013747.tif 000007
【図６】
2005013747.tif 000008
【図７】
2005013747.tif 000009
【図８】
2005013747.tif 000010
【図９】
2005013747.tif 000011
【図１０】
2005013747.tif 000012
【図１１】
2005013747.tif 000013
【図１２】
2005013747.tif 000014
【図１３】
2005013747.tif 000015
【外国語明細書】
2005013747000001.pdf